(57)【特許請求の範囲】
【請求項１】
背面に光源を支持するための取付座部を備えた灯体と、前記取付座部に当接される盤状フランジ部を備えた光源と、前記灯体に支持されて前記盤状フランジ部を前記取付座部に弾接させて固定するためのセットスプリングとを備える灯具の光源固定構造であって、前記灯体には前記セットスプリングを係止するために所定方向に向けて突出した係止突起が設けられ、前記セットスプリングは前記灯体に支持される支持部と、手操作されて前記灯体に設けられた前記係止突起に係止される操作係止部と、これら支持部と操作係止部との間の領域で前記盤状フランジ部の背面に弾接する弾接部とを備えており、前記操作係止部を一方向に操作したときに当該弾接部が前記盤状フランジ部の背面に弾接してこれと異なる方向の弾性反力が生じ、この弾性反力で前記操作係止部が前記係止突起に向けて付勢されて前記係止突起に係止される構成であり、さらに前記光源は前記盤状フランジ部の背面側に点灯回路部を一体に有する放電バルブとして構成されており、前記灯体には前記点灯回路部のケーシングに弾接する複数の弾接片を備えた導電板からなるホルダが固定支持され、前記ホルダは前記セットスプリングの支持部を灯体との間に挟持するとともに、前記弾接片は前記ケーシングの前面に弾接して当該ケーシングを前記灯体に電気接続する導電片と、前記盤状フランジ部の上縁部に弾接して前記光源を下方に付勢する付勢片とで構成されていることを特徴とする灯具の光源固定構造。
【請求項２】
前記セットスプリングは略コ字状に曲げ加工された線状スプリング材で形成され、中央部分が支持部として前記灯体に支持され、一対の両端部分が互いに近接する方向に弾性変形可能な操作係止部として構成され、前記灯体は前記取付座部に灯体の背面方向に立設した壁部に前記一対の操作係止部が互いに近接方向に変形されたときに進入可能なガイド溝を有しており、前記係止突起は当該ガイド溝の上底面に下底面方向に向けて突出した突起として形成され、前記操作係止部は前記弾接部が前記盤状フランジ部の背面に当接していないときには前記係止突起には係止せず、前記弾接部が盤状フランジ部の背面に弾接しているときに前記係止突起に係止されることを特徴とする請求項１に記載の灯具の光源固定構造。
【発明の詳細な説明】
【技術分野】
【０００１】
本発明は灯具の灯体に光源を固定するための構造に関し、特に自動車等の車両用灯具の灯体に光源を着脱可能な状態で固定するための光源固定構造に関するものである。
【背景技術】
【０００２】
自動車用灯具を初めとする各種灯具は、リフレクタ等の灯体と、この灯体に対して固定されるバルブ（電球）や半導体発光素子からなる光源とで構成されているが、この光源については同種あるいは異種の光源について交換することができるように、光源を灯具本体に対して着脱可能に固定する構造がとられている。このような光源の固定構造として、セットスプリングと称する線状のスプリングを用いた固定構造が提案されている。例えば、特許文献１ではリフレクタにバルブソケットを固定するために、基端部をリフレクタに支持し、ここを支点にして先端部をバルブソケットの背後に回し込むように回動した上で先端部をリフレクタに係止するセットスプリングを設け、このセットスプリングの弾接力によってバルブソケットをリフレクタに固定する構成がとられている。また、特許文献２では、イグナイターを一体化した放電バルブをリフレクタに固定するためにセットスプリングを用いているが、イグナイターの存在によって特許文献１のようにセットスプリングを背後に回し込むことができないため、セットスプリングの基端部をリフレクタに係合させ、径方向に拡縮する拡縮片部を放電バルブに設けた環状溝に外径方向から嵌入させ、嵌入された拡縮片部が放電バルブの背面に弾接したときの弾接力により放電バルブをリフレクタに固定する構成がとられている。
【先行技術文献】
【特許文献】
【０００３】
【特許文献１】特開平９−７４０１号公報
【特許文献２】特開２００２−２０８３０２号公報
【発明の概要】
【発明が解決しようとする課題】
【０００４】
特許文献１，２のいずれの固定構造においても、バルブをリフレクタに固定するためのセットスプリングの弾接力を維持するために、セットスプリングの先端部や拡縮片部（以下、これらを自由端部と称する）をリフレクタに設けた係止部に係止させている。この係止部の構成としては、当該セットスプリングの係止が簡単に外れることがないように、リフレクタにフック状に曲げ形成した係止溝を形成し、セットスプリングの自由端部を係止溝に嵌入させてセットスプリングの弾性変形した形状を保持する構成を採用している。そのため、セットスプリングをリフレクタに係止させる際には、セットスプリングの自由端部を当該セットスプリングの弾性力に抗して撓めた状態で係止溝に案内し、かつ係止溝のフック形状に沿って移動させるための操作が必要になる。
【０００５】
すなわち、特許文献１の場合には自由端部をバルブ側に押圧変形してバルブをリフレクタに対して押圧した状態を保ちながら自由端部を係止溝の入り口まで移動させ、さらにこの状態を保持しながら自由端部をバルブ径方向内側に変形させて係止溝の奥に進入させて係止を行う操作が必要になる。また、特許文献２の場合には自由端部をバルブ側に押圧しながらバルブ径方向内側に変形して係止溝の入り口まで移動させ、さらにバルブ側への押圧状態を保ちながら内側方向への押圧力を緩めることでセットスプリングの弾性復帰により自由端部を係止溝の奥に進入させて係止させる操作が必要になる。また、バルブをリフレクタから取り外すためにセットスプリングの自由端部の係止を解除する場合には、係止時とは反対の操作を行う必要がある。特許文献１の場合には、自由端部をバルブ側に押圧しながらバルブ径方向外側に変形させて係止溝から外す操作が必要になる。特許文献２では、セットスプリングの自由端部をバルブ径方向内側に変形させながら当該自由端部をバルブと反対方向に移動させ、その後自由端部のバルブ径方向への変形を解除し、自由端部の弾性復帰を利用して係止溝から外す操作が必要になる。
【０００６】
このように特許文献１，２の技術は、いずれもセットスプリングの自由端部を係止し、あるいは係止を解除するためにセットスプリングの自由端部を撓めながら、これとは異なる方向に向けて自由端部を移動あるいは変形させる操作が必要であり、操作が複雑である。特に、車両用灯具では灯具の小型化、薄型化を図るためにバルブの背後のスペースを狭小に設計していることが多いため、このような狭小なスペースにおいてセットスプリングを係止するための操作を行うことは困難であり、バルブの着脱操作が難しいものになる。
【０００７】
本発明の目的はセットスプリングを一方向に操作するだけでセットスプリングの係止を行い、またこれと異なる方向に操作するだけでセットスプリングの係止解除を可能にし、これにより灯体に対するバルブ等の光源の着脱操作を簡略化することが可能な光源固定構造を提供するものである。
【課題を解決するための手段】
【０００８】
本発明は、背面に光源を支持するための取付座部を備えた灯体と、当該取付座部に当接される盤状フランジ部を備えた光源と、灯体に支持されて盤状フランジ部を取付座部に弾接させて固定するためのセットスプリングとを備える灯具の光源固定構造であって、灯体にはセットスプリングを係止するための所定方向に突出した係止突起が設けられ、セットスプリングは灯体に支持される支持部と、手操作されて灯体に設けられた係止突起に係止される操作係止部と、これら支持部と操作係止部との間の領域で盤状フランジ部の背面に弾接する弾接部とを備えており、操作係止部を一方向に操作したときに当該弾接部が盤状フランジ部の背面に弾接してこれと異なる方向の弾性反力が生じ、この弾性反力で操作係止部が係止突起に向けて付勢されて係止突起に係止される構成であることを特徴とする。
【０００９】
例えば、セットスプリングは略コ字状に曲げ加工された線状スプリング材で形成され、中央部分が支持部として灯体に支持され、一対の両端部分が互いに近接する方向に弾性変形可能な操作係止部として構成される。また、灯体は取付座部に灯体の背面方向に立設した壁部に一対の操作係止部が互いに接近方向に変形されたときに進入可能なガイド溝を有しており、係止突起は当該ガイド溝の上底面に下底面方向に向けて突出した突起として形成される。さらに、操作係止部は弾接部が盤状フランジ部の背面に当接していないときには係止突起には係止せず、弾接部が盤状フランジ部の背面に弾接しているときに係止突起に係止される構成とする。
【００１０】
本発明は、さらに光源は盤状フランジ部の背面側に点灯回路部を一体に有する放電バルブとして構成されてもよく、灯体には点灯回路部のケーシングに弾接する複数の弾接片を備えた導電板からなるホルダが固定支持され、ホルダはセットスプリングの支持部を灯体との間に挟持するとともに、弾接片は前記ケーシングの前面に弾接して当該ケーシングを灯体に電気接続する導電片と、前記盤状フランジ部の上縁部に弾接して前記光源を下方に付勢する付勢片とで構成される。
【発明の効果】
【００１１】
本発明によれば、セットスプリングの操作係止部を係止突起に係止させるべく一方向に操作して変形させれば、取付座部に光源がセットされているときには弾接部が盤状フランジ部に弾接したときに生じる操作方向とは異なる方向の弾性反力によって操作係止部が係止突起に係止される。そのため、操作係止部を一方向に操作するのみでセットスプリングを灯体に係止して光源の固定が実現できる。また、係止突起との係止を解除する方向にのみ操作係止部を操作するだけでセットスプリングの係止を解除して弾接部による盤状フランジ部の弾接が解除され、光源を灯体から取り外すことができる。これにより、光源の着脱操作を簡略化することが可能になる。
【００１２】
また、本発明によれば、セットスプリングの操作係止部が進入されるガイド溝の上底面に係止突起を設けているので、セットスプリングの操作係止部を係止突起に係止する方向に操作して変形させたときに、取付座部に光源がセットされていなければ弾接部における反力が生じないため操作係止部が係止突起に係止されることはなく、取付座部に光源がセットされているときにのみ操作係止部が係止突起に係止される。そのため、セットスプリングの係止状態から光源が固定できたか否かを確実に確認することができる。また、係止突起との係止を解除するときには操作係止部をガイド溝の下底面方向に変形する操作のみでよい。
【００１３】
また、光源に点灯回路部を一体に有する放電バルブを用いたときに灯体にホルダを付加するだけで、ホルダの導電片が点灯回路部のケーシングに電気的に接触して当該ケーシングを灯体に対して電気導通させて接地をとることができるとともに、ホルダの付勢片が盤状フランジ部の上縁部に弾接して光源を灯体に対して付勢し、光源を取付座部に対して所定の位置に安定した状態に保持させることが可能になる。同時に、ホルダによりセットスプリングの支持部を灯体に支持させることも可能である。
【図面の簡単な説明】
【００１４】
【図１】実施形態１の固定構造の部分分解斜視図。
【図２】係止片部の拡大斜視図。
【図３】光源を固定する操作を説明するための背面図。
【図４】光源を固定した状態の斜視図。
【図５】セットスプリングの動作を説明するための図４のＡ矢視図。
【図６】セットスプリングの動作を説明するための図４のＢ矢視図。
【図７】実施形態２の固定構造の部分分解斜視図。
【図８】ホルダを取着した状態の斜視図。
【図９】光源を固定した状態の縦断面図。
【発明を実施するための形態】
【００１５】
（実施形態１）
次に、本発明の光源固定構造の実施の形態について図面を参照して説明する。図１は本発明を自動車のヘッドランプＨＬに適用した実施形態１の概略構成を示す部分分解斜視図であり、前面側を拡径して開口した回転放物面形状のリフレクタ１と、このリフレクタ１に装着されたランプ光源２とを備えている。ランプ光源２は白熱バルブやＬＥＤ発光素子を用いた光源として構成することが可能であるが、実施形態１では通電により発光する白熱バルブ（白熱電球）２１を用いて構成した例を示している。この白熱バルブ２１を用いたランプ光源２は、白熱バルブ２１を支持するバルブソケット２２を有しており、このバルブソケット２２は白熱バルブ２１を嵌合支持するソケット部２３と、このソケット部２３を一体に有する円盤フランジ部２４と、この円盤フランジ部２４の背面に一体に形成されて白熱バルブ２１に電力を供給するコネクタ部２５とで構成されている。前記コネクタ部２５はコンタクト片２５ａを有しており、図には表れない車載電源に接続されている電気コネクタが嵌合可能とされている。前記円盤フランジ部２４には、円周２箇所、特にバルブソケット２２をリフレクタ１に装着したときに上側に位置される円周箇所と、これとは異なる円周箇所のそれぞれに位置決め切欠き２４ａ，２４ｂが形成されている。上側の位置決め切欠き２４ａは矩形であり、他の位置決め切欠き２４ｂは円弧状であり、両者の形状を相違させている。
【００１６】
前記リフレクタ１の背面には前記白熱バルブ２１が挿通可能な径寸法で円形をしたバルブ挿通穴１１が開口されるとともに、このバルブ挿通穴１１に臨んでバルブ取付座部１２が形成されている。バルブ取付座部１２は前記リフレクタ１の背面のうち前記バルブ挿通穴１１を包囲する円環状の領域が座面１２ａとして構成されている。また、このバルブ取付座部１２は、座面１２ａを囲む略円形をした内壁１４と、この内壁１４の外周に沿って内形状が略八角形に形成された内壁１４よりも高さの高い外壁１５からなる壁部１３を備えている。そして、内壁１３で囲まれる円形領域、すなわちバルブ取付座部１２に前記バルブソケット２２の円盤フランジ部２４が内挿される。また、後述するセットスプリング３によって円盤フランジ部２４の前面がバルブ取付座部１２の座面１２ａに当接された状態で当該バルブ取付座部１２に固定されるようになっている。
【００１７】
このセットスプリング３は、所要の長さの線状スプリング材を略コ字状に曲げ加工しており、中央部分は支持部３１として後述するように前記バルブ取付座部１２に支持される。セットスプリング３の左右一対の両側部分の先端部はバルブ取付座部１２の壁部１３よりも外径方向に突出する位置にまで延長されるとともに略Ｕ字状に折り曲げ加工された操作係止部３２として構成されている。この操作係止部３２は、後述するように作業者が操作係止部３２を摘んで互いに近接する方向に弾性変形させたときに、当該操作係止部３２を前記バルブ取付座部１２の壁部１３に係止することが可能とされている。また、前記支持部３１と左右一対の各操作係止部３２の間の部分はバルブ取付座部１２の外壁１５の八角形状に沿うように左右外側に台形に近い形状で膨らむように曲げ加工された弾接部３３として構成されている。この弾接部３３には前記バルブソケット２２の円盤フランジ部２４の背面に当接したときに、当該背面に弾接して円盤フランジ部２４をバルブ取付座部１２の座面１２ａに押圧させる弾接力を発揮するように長さ方向の２箇所にそれぞれ前方に向けて弧状に屈曲した屈曲部３４，３５を形成している。
【００１８】
前記バルブ取付座部１２には、前記内壁１４の円周方向の２箇所にそれぞれ中心に向けて突出した位置決め突起１４ａ，１４ｂが設けられている。ここでは内壁１４の円周上側位置には矩形の位置決め突起１４ａが設けられ、これとほぼ直角な円周位置には円弧状の位置決め突起１４ｂが設けられており、それぞれ前記円盤フランジ部２４の上側と左側の位置決め切欠き２４ａ，２４ｂに嵌合可能とされている。これにより、円盤フランジ部２４を内壁１４内に挿入したときには、これらの位置決め突起１４ａ，１４ｂと位置決め切欠き２４ａ，２４ｂとによりバルブソケット２２の円周方向の位置決めが行われるとともに、バルブソケット２２及び白熱バルブ２１がバルブ軸回りに回動されることが防止される。また、前記壁部１３の円周上側位置には円周一部を外径方向に突出したフック状の掛合部１６が設けられており、この掛合部１６には前記セットスプリング３の支持部３１が外側から掛合され、当該セットスプリング３が掛合部１６に支持されるようになっている。
【００１９】
一方、前記壁部１３の円周下側の部分には前記外壁１５よりも外径方向に突出した係止片部１７が形成されている。図２に拡大して示すように、係止片部１７は壁部１３の接線方向両側に突出した一対の両袖１７ａを備えており、この両袖１７ａと前記外壁１５の背面との間に前記セットスプリング３の左右一対の各操作係止部３２をそれぞれ外側方向から内側方向に向けて挿通かつ案内することができるようにガイド溝１８がそれぞれ形成されている。ここでは左右の各ガイド溝１８はそれぞれ前記外壁１５の背面の円周一部を削除し、この削除した部分と前記係止片部１７の両袖１７ａとの間に外側から内側に向けて壁部１３の底部側に向けて傾斜されたスリット状の溝として構成されている。また、これら左右のガイド溝１８の上底面、ここでは前記係止片部１７の両袖１７ａの下面には、下方に向けて突出され、しかも円周方向に沿って山形をした係止突起１７ｂが形成されている。この係止突起１７ｂは山型の斜面の傾斜角度が比較的に小さな角度に形成されており、後述するように、セットスプリング３の操作係止部３２を係止突起１７ｂの斜面に沿って移動させることは可能であるが、当該操作係止部３２がガイド溝１８内において上底面方向に付勢された状態のときには係止突起１７ａによって斜面に沿って移動することが係止されるような形状、寸法に形成されている。
【００２０】
以上の構成において、ランプ光源２をリフレクタ１に固定する際には、図３（ａ）を参照すると、先ずリフレクタ１のバルブ取付座部１２の掛合部１６にセットスプリング３の支持部３１を掛合する。このとき当該セットスプリング３の形状により、左右の各弾接部３３は外壁１５の内縁に沿った位置に配置され、同じく左右の各操作係止部３２は係止片部１７の左右のガイド溝１８に臨む位置に配置される。次いで、リフレクタ１の背面側からランプ光源２の白熱バルブ２１をバルブ挿通穴１１に挿入し、バルブソケット２２の円盤フランジ部２４を内壁１４で囲まれたバルブ取付座部１２に内挿し、当該円盤フランジ部２４の前面をバルブ取付座部１２の座面１２ａに当接させる。このときセットスプンリグ３の弾接部３３は内壁１４の背面上に位置されているので円盤フランジ部２４の内挿、当接の邪魔になることはない。
【００２１】
次いで、図３（ｂ）を参照すると、作業者がセットスプリング３の左右の操作係止部３２を指で摘んで互いに近接するように内側に向けて変形させると、各操作係止部３２はそれぞれガイド溝１８内に進入されて行き、これと同時に弾接部３３は内径方向に移動されてバルブソケット２２の円盤フランジ部２４の背面上にまで移動される。弾接部３３は屈曲部３４，３５において円盤フランジ部２４の背面に当接され、この当接によって弾接部３３は弾性変形され、その反力で円盤フランジ部２４をバルブ取付座部１２の座面１２ａに向けて弾接させる。また、セットスプリング３のかかる弾性変形により左右の操作係止部３２はガイド溝１８内において上底面に向けて付勢される状態となり、その付勢力によって操作係止部３２はガイド溝１８の上底面に弾接された状態となる。この状態で作業者がさらに操作係止部３２を内側に変形させると、操作係止部３２は付勢力に抗して係止突起１７ｂを乗り越えてガイド溝１８の最内側端にまで移動される。そのため、作業者が操作係止部３２から手を離してそれまでの変形力を解除しても、操作係止部３２はガイド溝１８の最内側端において上底面に当接した状態で拘束され、係止突起１７ｂを乗り越えてガイド溝１８から離脱されることが係止される。したがって、弾接部３３は円盤フランジ部２４の背面を弾接してバルブ取付座部１２の座面１２ａに弾接した状態が保持されることになり、図４に示すように、ランプ光源２をバルブ取付座部１２、すなわちリフレクタ１に固定させることが可能になる。このように、左右の操作係止部３２をそれぞれ内側に変形させるという単一操作を行うだけでセットスプリング３をバルブ取付座部１２に係止させてランプ光源２をリフレクタ１に固定することが可能になり、ランプ光源２の固定作業を単純化することが可能になる。特に、ランプ光源２をバルブ取付座部１２にセットしないときにはセットスプリング３は操作係止部３２が係止突起１７ｂに係止されることがないため、弾接部３３は常に外側方向に弾性退避した状態にあるので、この状態においてランプ光源２をバルブ取付座部１２にセットすることが可能であり、ランプ光源２の固定作業が行い易いものとなる。
【００２２】
ここで、図３（ａ）に示したように、ランプ光源２をバルブ取付座部１２に配設しない状態でセットスプリング３のみをバルブ取付座部１２に取り付けた状態では、図５（ａ），（ｂ）にそれぞれ図３（ａ）のＡ矢視図、Ｂ矢視図を示すように、セットスプリング３は弾接部３３が内壁１４の背面に沿った位置にあり、この状態から操作係止部３２を操作して内側に変形してガイド溝１８内に進入させても、バルブ取付座部１２にはランプ光源２の円盤フランジ部２４が内挿されていないため、弾接部３３の屈曲部３４，３５が当該円盤フランジ部２４の背面に当接して弾接力が発生することはない。そのため、セットスプリング３は操作係止部がガイド溝１８の上底面に向けて付勢されることはなく、セットスプリング３は図５（ａ）に実線で示す状態と鎖線で示す状態とに自由に移動可能な状態である。したがって、操作係止部３２はガイド溝１８内において係止突起１７ｂを乗り越えて内外方向と上下方向のいずれの方向にも容易に移動でき、操作係止部３２が係止突起によって係止されることもない。
【００２３】
一方、図３（ｂ）に示したように、バルブ取付座部１２にランプ光源２がセットされているときには、円盤フランジ部２４がバルブ取付座部１２に内挿されているので、セットスプリング３の操作係止部３２を操作すれば、図６（ａ），（ｂ）にそれぞれ図３（ｂ）のＡ矢視図、Ｂ矢視図を示すように、弾接部３３の屈曲部３４，３５が当該円盤フランジ部２４の背面に当接して弾接力が発生し、セットスプリング３は操作係止部３２がガイド溝１８の上底面に向けて付勢される状態となる。これにより、操作係止部３２はガイド溝１８内において上下方向に容易に移動することができなくなり係止突起１７ｂを乗り越えることもできなくなる。そのため、操作係止部３２は係止突起１７ｂによって内外方向への移動が係止されることになり、セットスプリング３によるランプ光源２の固定が可能になる。
【００２４】
ランプ光源２をリフレクタ１から離脱するためにバルブソケット２２の固定を解除するには、セットスプリング３の左右の操作係止部３２をガイド溝１８の下底面に向けて下方に押下して変形すればよい。この押下変形により操作係止部３２は係止突起１７ｂによる係止が解除され、さらにセットスプリング３の弾性復帰力によってそれぞれ外側方向に移動されガイド溝１８から離脱される。これと同時に左右の弾接部３３もそれぞれ外側に弾性復帰されて円盤フランジ部２４の背面から退避され、円盤フランジ部２４をバルブ取付座部１２に弾接する力が解放され、ランプ光源２をリフレクタ１から取り外すことが可能になる。なお、この操作は左右の操作係止部３２に対してそれぞれ個別に行っても、あるいは同時に行ってもよい。このように、左右の操作係止部３２をガイド溝１８の下底面に向けて一方向に押下変形させるという単一操作を行うだけでセットスプリング３による弾接状態を解除し、ランプ光源２をリフレクタ１から離脱させることが可能になり、ランプ光源２の取り外し作業を単純化することが可能になる。
【００２５】
実施形態１ではセットスプリング３の支持部３１をフック状の掛合部１６においてバルブ取付座部１２に支持させているが、別部材として構成した舌片状の支持片をネジ等を利用してバルブ取付座部１２に固定し、この支持片でセットスプリング３の支持部３１を壁部１３の一部に固定的に保持させるようにしてもよい。このようにすれば、セットスプリング３を操作する際にセットスプリング３が掛合部１６から脱落することを確実に防止でき、操作性を高めることができる。
【００２６】
実施形態１ではランプ光源２として白熱バルブの例を示したが、ＬＥＤ発光素子をランプ光源として構成してもよい。この場合には実施形態１のバルブソケット２２はＬＥＤ発光素子を保持するベース部材に置き換え、当該ベース部材に円盤フランジ部２４を構成し、この円盤フランジ部２４を利用してリフレクタ１のバルブ取付座部１２に固定するように構成すればよい。
【００２７】
（実施形態２）
図７は本発明の実施形態２の部分分解斜視図であり、実施形態１と等価な部分には同一符号を付してある。この実施形態２ではランプ光源２Ａとしてイグナイターと称する点灯回路部が一体に設けられた放電バルブで構成されている例を示している。すなわち、ランプ光源２Ａは放電により発光する放電バルブ２１Ａと、この放電バルブ２１Ａを支持するとともにリフレクタ１への固定を行う円盤フランジ部２４と、この円盤フランジ部２４の背面側に一体に設けられて内部に点灯回路を内蔵した点灯回路部２６とで構成されている。この点灯回路部２６は金属製のケーシング２６ａ内に組み立てられており、このケーシングの一部に設けられたコネクタにより外部電源に電気接続されるようになっている。円盤フランジ部の構成は実施形態１のバルブソケットの円盤フランジ部とほぼ同じ構成であるが、ここでは円盤フランジ部２４と点灯回路部２６のケーシング２６ａの前面との間にはセットスプリング３を進入させて円盤フランジ部２４の背面に当接するための環状の間隙を設けておくことが肝要である。
【００２８】
前記リフレクタ１の背面のバルブ取付座部１２の構成は実施形態１と殆ど同じであるが、実施形態２では外壁１５の上面に略密接するようにホルダ４を取着した点が特徴とされている。このホルダ４はバルブ取付座部１２の壁部１３に対応するように外形が略八角形で内形が円形をした導電性板材、ここでは金属板で形成されており、その周方向の上側部と下側部にそれぞれネジ穴４３が開口され、これらネジ穴４３とバルブ取付座部１２の外壁１５の背面に設けた２つのネジ穴１９を利用してネジ１９Ａ（図８参照）によりバルブ取付座部１２の壁部１３の背面に密接するように固定される。ここで、ネジ穴１９は内面がリフレクタ１の背面に設けた導電膜に電気的に導通するように導電処理されており、ネジ１９Ａには導電性のネジを用いている。前記ホルダ４は内径が前記円盤フランジ部２４よりも大径で、前記外壁１５の内径に略等しくされており、その内周に沿って複数個の導通用舌片４１を板厚方向に切り起こしている。これらの導通用舌片４１はホルダ４の背面から突出し、後述するようにランプ光源２Ａの点灯回路部２６の金属製のケーシング２６ａの前面に弾接して電気的な導通をとるように構成されている。さらに、ホルダ４の円周方向の上側部には周方向に所要の間隙をおいて２つの押圧用舌片４２を内径方向に切り起こしている。これらの押圧用舌片４２は前記内壁１４の円周方向上側部に設けた矩形の位置決め突起１４ａを周方向に挟む位置に配置されて内径方向に突出し、後述するようにランプ光源２Ａの円盤フランジ部２４の円周方向の上側縁に弾接して円盤フランジ部２４を円周方向の下方に向けて付勢するように構成されている。
【００２９】
この実施形態２でもランプ光源２Ａをセットスプリング３を用いてリフレクタ１に固定する点は実施形態１と同じである。セットスプリング３は実施形態１の構成と全く同じであるが、図８に示すように、バルブ取付座部１２にセットスプリング３を配設し、その上からホルダ４を被せて支持部３１をバルブ取付座部１２に支持させている。この支持を行うために、バルブ取付座部１２の外壁１５の円周方向上側部に細幅の凹溝１６ａを形成しており、この凹溝１６ａ内にセットスプリング３の支持部３１を内挿することで、バルブ取付座部１２に取着したホルダ４でセットスプリング３の支持部３１を凹溝１６ａ内に封じ込み、セットスプリング３を支持している。また、セットスプリング３の弾接部３３と操作係止部３２はバルブ取付座部１２においては壁部１３の外壁１５と内壁１４との高さの差により生じる間隙内に延長配置され、操作係止部３２はホルダ４及び壁部１３から径方向に突出配置されることになる。
【００３０】
以上の構成において、ランプ光源２Ａをリフレクタ１に固定する手順は実施形態１と同じである。すなわち、リフレクタ１の背面側からランプ光源２Ａの放電バルブ２１ａをバルブ挿通穴１１に挿入し、円盤フランジ部２４を内壁１４で囲まれたバルブ取付座部１２に内挿し、当該円盤フランジ部２４の前面をバルブ取付座部１２の座面１２ａに当接させる。このとき、図９に示すように、点灯回路部２６のケーシング２６ａの前面はホルダ４の背面から突出している導通用舌片４１に弾接され、ケーシング２６ａを導通用舌片４１を介してリフレクタ１に電気的に導通させ、ケーシング２６ａを接地状態とする。また、これと同時に円盤フランジ部２４の円周方向上側部の外縁はホルダ４の押圧用舌片４２に弾接され、円周方向の下方に向けて付勢される。この付勢力により円盤フランジ部２４は内壁１４の円周方向下側部の内縁に押圧されることになり、バルブ取付座部１２における円盤フランジ部２４の固定位置、すなわちランプ光源２Ａの固定位置を安定なものとする。
【００３１】
しかる上で、実施形態１と同様に、作業者がセットスプリング３の左右の操作係止部３２を摘んで内側に向けて変形させると、各操作係止部３２はそれぞれガイド溝１８内に進入され、これと同時に弾接部３３は内径方向に移動されて点灯回路部２６と円盤フランジ部２４との間に進入され、円盤フランジ部２４の背面にまで移動される。弾接部３３は屈曲部３４，３５において円盤フランジ部２４の背面に当接され、この当接によって弾接部３３は弾性変形され、その反力で円盤フランジ部２４をバルブ取付座部１２の座面１２ａに向けて弾接させる。また、セットスプリング３のこの弾性変形により左右の操作係止部３２はガイド溝１８内において上底面に向けて付勢される。これにより、操作係止部３２が係止突起１７ａを乗り越えてガイド溝１８の最内側端にまで移動されたときには、作業者が操作係止部３２から手を離しても操作係止部３２が係止突起を乗り越えてガイド溝１８から離脱すことが係止され、左右の係止操作部３２は係止突起１７ｂにより係止される。したがって、弾接部３３は円盤フランジ部２４の背面を弾接してバルブ取付座部１２の座面１２ａに弾接した状態が保持されることになり、ランプ光源２Ａをバルブ取付座部１２に固定させることが可能になる。すなわち、左右の操作係止部３２をそれぞれ内側に変形させるという単一操作を行うだけでセットスプリング３をバルブ取付座部１２に係止させてランプ光源２Ａをリフレクタ１に固定することが可能になり、ランプ光源２Ａの固定作業を単純化することが可能になる。
【００３２】
ランプ光源２Ａをリフレクタから離脱する場合も実施形態１と同じである。すなわち、左右の操作係止部３２をガイド溝１８の下底面方向に押下して変形すればよい。この押下変形により操作係止部３２は係止突起１７ｂによる係止が解除され、さらにセットスプリング３の弾性復帰力によって左右の操作係止部３２はそれぞれ係止突起１７ｂを乗り越えて外側方向に移動されガイド溝１８から離脱される。これと同時に左右の弾接部３３もそれぞれ外側に弾性復帰されて円盤フランジ部２４の背面から退避されるため、円盤フランジ部２４をバルブ取付座部１２の座面１２ａに弾接する力が解放され、ランプ光源２Ａをリフレクタ１から取り外すことが可能になる。したがって、左右の操作係止部３２をガイド溝の下底面に向けて一方向に押下変形させるという単一操作を行うだけでセットスプリング３による弾接状態を解除し、ランプ光源２Ａをリフレクタから離脱させることが可能になり、ランプ光源２Ａの取り外し作業を単純化することが可能になる。
【００３３】
また、実施形態２ではバルブ取付座部１２にホルダ４を取着しておけば、ランプ光源２Ａを固定したときにはホルダ４の導通用舌片４１によって点灯回路部２６のケーシング２６ａをリフレクタ１に自動的に電気的に導通させ、ケーシング２６ａを接地状態とすることができる。これと同時にホルダ４の押圧用舌片４２によってランプ光源２Ａはリフレクタ１のバルブ挿通穴１１の下側に付勢した状態で押圧保持される。したがって、ランプ光源２Ａを接地するための電気的接続手段を独立して設ける必要はなく、またランプ光源２Ａを位置拘束するための独立した手段も不要となり、固定構造の簡略化を図る上で有利になる。
【００３４】
実施形態２では点灯回路部としてイグナイターを一体化した放電バルブの例を示したが、放電用の高電圧を発生する回路を含めた放電点灯回路部を一体化した放電バルブについても適用可能である。
【産業上の利用可能性】
【００３５】
実施形態１，２ではリフレクタにランプ光源を固定する例を示したが、本発明はリフレクタにランプ光源を固定する灯具に限られるものではなく、灯具ボディ、あるいは灯具ハウジング等と称する灯体に各種の光源をセットスプリングで固定する灯具に適用可能である。
【符号の説明】
【００３６】
１  リフレクタ
２，２Ａ  ランプ光源
３  セットスプリング
４  ホルダ
１１  バルブ挿通穴
１２  バルブ取付座部
１３  壁部
１４  内壁
１５  外壁
１６  掛合部
１７  係止片部
１７ｂ  係止突起
１８  ガイド溝
２１  白熱バルブ
２１Ａ  放電バルブ
２４  円盤フランジ部
３１  支持部
３２  操作係止部
３３  弾接部
３４，３５  屈曲部
４１  導通用舌片
４２  押圧用舌片
【図１】
0005542524.tif 000002
【図２】
0005542524.tif 000003
【図３】
0005542524.tif 000004
【図４】
0005542524.tif 000005
【図５】
0005542524.tif 000006
【図６】
0005542524.tif 000007
【図７】
0005542524.tif 000008
【図８】
0005542524.tif 000009
【図９】
0005542524.tif 000010